(57)【特許請求の範囲】
【請求項１】
胴体１の上翼板４における中央上面に引手取付部９を摺動方向と直交する横断方向に立設し、胴体１の肩口１１側および後口１２側に引手取付部９と間隔をおいて摺動方向と直交する横方向に延びる隆起部１３を突設し、該隆起部１３間において引手２を直接または間接に引手取付部９に垂下可能に装着したことを特徴とするスライドファスナー用スライダー。
【請求項２】
隆起部１３の左右先端は円弧状を呈する形状に形成してなる請求項１記載のスライドファスナー用スライダー。
【請求項３】
引手取付部９はＵ状の脚部１０から形成され、引手取付部９の前後に突設する隆起部１３は、摺動方向と直交する横方向に延びる長円形状に形成してなる請求項１記載のスライドファスナー用スライダー。
【発明の詳細な説明】
【０００１】
【発明の属する技術分野】
この発明は、スーツ、オーバーコートなどの衣服における内ポケット、あるいはジャンパーなどのポケットの口部に取付けて、ポケットの開閉に用いる小型の自由タイプのスライドファスナー用スライダーに関するものである。
【０００２】
【従来の技術】
従来、衣服のポケットに用いるスライドファスナー用スライダーは、図８に示すように、スライダー胴体の上翼板における上面に、引手のクランパーを横向きに取付けるため、引手取付部を胴体の摺動方向と直交する横断方向に突設するとともに、この取付部にクランパーを介して引手を横向きに垂下状態に配置できるように装着したスライドファスナー用スライダーが、実開昭５８−１１８９１５号公報に開示されている。
【０００３】
また、図９に示すようにスライダー胴体の上翼板の上面に引手のクランパーを横向きに配置できるように取付けるため、引手取付部を胴体の摺動方向と直交する横断方向に突設するとともに、引手取付部に装着するクランパーは引手取付部に対応する側が円形孔、また反対の引手取付側が角形孔に形成したクランパーを介して引手を横向きに垂下状態に配置できるように装着したスライドファスナー用スライダーが、実開昭５９−１５３０９号公報に開示されている。
【０００４】
【発明が解決しようとする課題】
前項で述べた、図８および図９に示したスライドファスナー用スライダーは、スライダー胴体の上面に突設した引手取付部の前後には隆起部が存在しておらず平坦状であって、引手取付部が摺動方向と直交する横方向に拡大して突設されている関係上、裏地または生地の縁部が引手取付部に衝接して生地を傷め、またスライダーの摺動が重く円滑な摺動操作ができないなどの問題点がある。
【０００５】
さらに図９に示したスライダーのクランパーは、胴体に取付ける側が円形孔、また引手の取付側が角形孔であるため、胴体に対する取付側においてはクランパーが一定範囲の平面内での揺動はできるが、クランパーと引手とはクランパーが角形孔のため引手が平面的に揺動することができない、したがって引手の操作の際、引手の動きが規制され、スライダーの円滑な摺動操作が期待できないなど問題点がある。
【０００６】
この発明は、上述の問題点を考慮して発明されたものであり、請求項１記載の発明は、衣服のポケットなどの口部に取付けたファスナーチェンを、スライダーによって開閉操作する際、衣服の裏地または生地の縁部が直接引手取付部を圧迫してスライダーの摺動を重くする障害を防ぎ、裏地または生地の縁部の緩衝を図り、かつアイロン掛けにおける生地の損傷を防ぎ円滑なスライダー操作が行え、しかもスライダー停止時には引手が体裁よく胴体に対し横向きに垂下できる小型の自由タイプのスライドファスナー用スライダーを提供することが主たる目的である。
【０００７】
請求項２および３記載の発明は、それぞれ請求項１記載の発明の目的に加え、スライダー操作の際、衣服の裏地または生地の縁部を簡単な構造で確実に両側へ和らかく排除しながらスライダーを摺動させることができ、摺動抵抗が小さく円滑な操作ができる小型の自由タイプのスライドファスナー用スライダーを提供することが目的である。
【０００８】
【課題を解決するための手段】
前記の目的を達成するため、この発明のうち請求項１記載の発明は、スライダー胴体１の上翼板４における略中央の上面に引手取付部９を摺動方向と直交する横断方向に立設し、胴体１の肩口１１側および後口１２側に引手取付部９と間隔をおいて摺動方向と直交する横方向に延びる隆起部１３を突出状に設け、この隆起部１３間に引手２を直接的または間接的に配置し、胴体１における摺動方向と直交する横断方向に引手２が垂下できるように引手２を引手取付部９に装着したスライドファスナー用スライダーを主な構成とするものである。なお、スライダー胴体の縦方向とは摺動方向を指し、横方向とは摺動方向と直交する方向を指すものである。
【０００９】
請求項２記載の発明は請求項１記載の発明の構成に加え、胴体１の肩口１１側および後口１２側に摺動方向と直交する横方向に延びる隆起部１３の左右先端は円弧状を呈する形状に形成したスライドファスナー用スライダーである。
【００１０】
請求項３記載の発明は、請求項１記載の発明の構成に加え、引手取付部９はＵ状の脚部１０を立設して形成し、この引手取付部９の前後に突設する隆起部１３は摺動方向と直交する横方向に延びる長円形状、すなわち前後辺が平行し両端が円弧状を呈する形状に形成したスライドファスナー用スライダーである。
【００１１】
【発明の実施の形態】
以下、この発明における小型で自由タイプのスライドファスナー用スライダーの実施の形態にについて、図面を参照しながら具体的に説明する。
【００１２】
この発明の小型で自由タイプのスライドファスナー用スライダーは、図１に示すようにスライダー胴体１、引手２、クランパー３の３部材から構成するか、または図７に示すようにスライダー胴体１、引手２の２部材から構成し、これらの部材のうち少なくとも胴体１、引手２はアルミニウム合金、亜鉛合金などの金属をダイキャスト成形加工手段によって成形するのが好ましく、またクランパー３はダイキャスト成形加工またはプレス加工手段によって製作し、自由タイプのスライダーを組立てる。
【００１３】
図１に示す自由タイプのスライドファスナー用スライダーの形態は、胴体１が上翼板４と下翼板５とを案内柱６で連結し、上翼板４と下翼板５の両側縁にガイドフランジ７が屈設され、その間にファスナーエレメントを挿通するガイド溝８が形成されている。なおガイドフランジ７はファスナーチェンのタイプによって、一方の翼板のみに設けることがある。そして上翼板４の中央上面にＵ状の脚部１０を立設し、引手２またはクランパー３を取付けるための引手取付部９が設けられている。この引手取付部９は胴体１における摺動方向と直交する横断方向に配設され、引手取付部９の前後すなわち胴体１の肩口１１側および後口１２側に一定間隔をおいて、摺動方向と直交する横方向に延びる長円形状すなわち中央両側辺が平行し両先端が円弧状を呈し、かつ表面も円弧状に形成した隆起部１３が突設され、また引手取付部９と隆起部１３との間には平坦な間隙部１４が形成され、この間隙部１４に引手２またはクランパー３が配置できるように形成されている。
【００１４】
引手２は一端に取付環１５を一体に設け、この取付環１５は一部が切欠された切欠部１６が形成され、他端側には適宜形状の摘手部１７が形成されている。またクランパー３は長円形の金属板の両端に一対の円形の取付孔１８を設け、一方の取付孔１８は図２に示すように胴体１上面の隆起部１３間に配置できるようにＵ状の脚部１０に嵌入させた後、脚部１０の先端を加締め加工手段によって封鎖してクランパー３を取付ける。またクランパー３の他方の円形の取付孔１８には引手２の一端に設けた取付環１５の切欠部１６を嵌入し加締めることによって、引手２を隆起部１３間の間隙部１４において揺動自在に取付ける。
【００１５】
胴体１に引手２をクランパー３を介して装着したとき、図３に示すように胴体１の前後に設けた隆起部１３よりも引手取付部９の方が高くなるように形成し、クランパー３が上下に可動でき、かつ取付支点が隆起部１３よりも高く配設できるように形成されている。また図４に示すように引手取付部９と隆起部１３とを略同一高さになるように形成することもできる。
【００１６】
図５に示したスライダーは、胴体１の上翼板４の上面に形成した一対の隆起部１３の形状が前例とは異なり、上翼板４の前方に設けた隆起部１３は、中央の外側表面を肩口１１側に湾曲状に突出させて突出部１９を設け、また上翼板４の後方に設けた隆起部１３は中央の外側表面が後口１２側に湾曲状に突出する突出部１９が設けられている。そして引手取付部９と隆起部１３とは異高形状に形成することもでき、また図６に示すように同高形状に形成することもできる。
【００１７】
図７に示したスライダーは、胴体１と引手２の２部材から形成された自由タイプのスライダーであり、胴体１の上翼板４の上面にはＵ状の脚部１０を立設して引手取付部９を形成するとともに、引手取付部９の前後には隆起部１３が前記実施例と同様な形態で配設されている。引手２は切欠部のない環状の取付環１５を横向きに倒伏させた状態で、先端に一体成形によって形成し、この取付環１５を上翼板４上に立設したＵ状の脚部１０間に嵌入し、脚部１０の先端を加締めて引手２を引手取付部９に取付け、引手２を隆起部１３間の間隙部１４において揺動可能に装着したスライダーである。
【００１８】
以上説明したとおり組立られた小型の自由タイプのスライダーは、図２、３に示すように、ファスナーチェンＦを衣服のポケットなどの口部の裏地または生地に縫着したとき、通常裏地または生地Ｃの縁部Ｅは胴体１上に乗り上げた形態が常であり、従来のスライダーは縁部Ｅが直接引手取付部９に衝接するが、この発明のスライダーは引手取付部９の前後に立設した隆起部１３によって縁部Ｅを直接引手取付部９に衝接するのを防ぎ、隆起部１３が縁部Ｅを左右に振り分けガイドしながらスライダーは前後に摺動する。この摺動操作は引手２をサイドから引張って操作し、スライダーを停止したときは引手２は自然に胴体１の横方向に垂下保持される。
【００１９】
【発明の効果】
この発明の小型の自由タイプのスライドファスナー用スライダーは、以上説明したとおりの構成であり、この構成によって下記の効果を奏する。
【００２０】
この発明のうち請求項１記載の発明は、胴体の上翼板における中央上面に引手取付部を摺動方向と直交する横断方向に立設し、胴体の肩口側および後口側に引手取付部と間隔をおいて摺動方向と直交する横方向に延びる隆起部を突設し、隆起部間において引手を直接または間接に引手取付部に垂下可能に装着したことによって、衣服のポケットなどの口部にファスナーチェンを取付けてスライダーによって開閉操作するとき、衣服の裏地または生地の縁部を隆起部によって左右に効率よく振り分けガイドし、縁部が横設した引手取付部へ直接的に衝接しないから、スライダーの摺動が軽く、そのうえ縁部を損傷することが少なく、しかも両縁部を従来のように一定間隙を開けずに衝合状態に配することができるから、ポケットの口部が美しく体裁よく仕上げることができる効果がある。
【００２１】
請求項２および３記載の発明は、それぞれ請求項１記載の発明の効果に加え、隆起部の左右先端は円弧状を呈する形状に形成し、あるいは引手取付部はＵ状の脚部から形成し、引手取付部の前後に突設する隆起部は長円形状に形成したことによって、引手またはクランパーを脚部内に嵌入して先端を単に加締め加工のみで取付ることができるから、装着が簡単にでき、スライダーの自動組立加工に適した形態のスライダーであり、しかも隆起部は縁部の緩衝を和らげ、的確かつ容易に振り分け円滑にガイドすることができ、スライダー操作が簡易に行うことができる効果があるなど、この発明が奏する効果はきわめて顕著である。
【図面の簡単な説明】
【図１】自由タイプのスライドファスナー用スライダーの分解斜視図である。
【図２】同上スライダーの使用態様を示す平面図である。
【図３】同上スライダーの使用態様を示すＡ−Ａ線断面図である。
【図４】第２実施形態のスライドファスナー用のスライダーの横断面図である。
【図５】第３実施形態のスライドファスナー用スライダーの平面図である。
【図６】同上スライダーの縦断面図である。
【図７】第４実施形態のスライドファスナー用スライダーの分解斜視図である。
【図８】公知のスライドファスナー用スライダーの使用態様を示す平面図である。
【図９】他の公知のスライドファスナー用スライダーの平面図である。
【符号の説明】
１          胴体
２          引手
３          クランパー
４          上翼板
９          引手取付部
１０        脚部
１１        肩口
１２        後口
１５        取付環
１８        取付孔
１９        突出部
【図１】
0003613371.tif 000002
【図２】
0003613371.tif 000003
【図３】
0003613371.tif 000004
【図４】
0003613371.tif 000005
【図５】
0003613371.tif 000006
【図６】
0003613371.tif 000007
【図７】
0003613371.tif 000008
【図８】
0003613371.tif 000009
【図９】
0003613371.tif 000010